(57)【要約】【課題】  目的のページを見つけやすくする折り返しタブを有する冊子体を得る。【解決手段】  この冊子体１は、一辺において複数のシートを結合した冊子体であって複数の折り返しタブ１１〜１５を備える。そして、その複数の折り返しタブ１１〜１５は、形状、模様および色の少なくとも１つが互いに異なる。これにより、折り返しタブ１１〜１５で冊子体１のページを分類したり、ページ範囲を示したりすることができ、目的のページを見つけやすくなる。【選択図】  図１
2014000705.tif 000002
【特許請求の範囲】
【請求項１】
一辺において複数のシートを結合した冊子体において、
前記複数のシートのそれぞれに複数の折り返しタブを備え、
前記複数の折り返しタブは、形状、模様および色の少なくとも１つが互いに異なること、
を特徴とする冊子体。
【請求項２】
前記複数の折り返しタブのうちの２つは、対となる形状または対となる模様を有し、
前記２つのうちの一方は、ページ範囲の始点を示すものであり、
前記２つのうちの他方は、ページ範囲の終点を示すものであること、
を特徴とする請求項１記載の冊子体。
【請求項３】
前記複数の折り返しタブは、それぞれ、線対称ではない形状を有し、
前記複数の折り返しタブのうちの１つの形状は、前記複数の折り返しタブのうちの他の１つの形状に対して線対称の形状であること、
を特徴とする請求項１記載の冊子体。
【請求項４】
前記折り返しタブは、その折り返しタブの外縁に孔を有し、
前記孔は、幅を有する線状とされ、前記線状の孔の両端は、前記幅より大きい直径の円状とされること、
を特徴とする請求項１から請求項３のうちのいずれか１項記載の冊子体。
【請求項５】
前記複数のシートは、前記一辺において互いに剥離可能に粘着した複数の付箋紙であることを特徴とする請求項１から請求項４のうちのいずれか１項記載の冊子体。
【発明の詳細な説明】
【技術分野】
【０００１】
本発明は、冊子体に関するものである。
【背景技術】
【０００２】
書籍、雑誌、ノート、手帳などの冊子体のシートにＵ字形等の切れ込みを設け、その切れ込みの内側部分を折り返すことで見出しタブとする技術が提案されている（例えば特許文献１参照）。
【先行技術文献】
【特許文献】
【０００３】
【特許文献１】実開平６−５９０６７号公報
【発明の概要】
【発明が解決しようとする課題】
【０００４】
しかしながら、特許文献１記載の技術による見出しタブでは、単にタブを折り返したページの位置がわかるだけであり、１つの冊子において多くの見出しタブを使用すると、ユーザが目的のページを見つけにくくなってしまう。
【０００５】
本発明は、上記の問題に鑑みてなされたものであり、目的のページを見つけやすくする折り返しタブを有する冊子体を得ることを目的とする。
【課題を解決するための手段】
【０００６】
上記の課題を解決するために、本発明では以下のようにした。
【０００７】
本発明に係る冊子体は、一辺において複数のシートを結合した冊子体であって、前記複数のシートのそれぞれに複数の折り返しタブを備える。そして、その複数の折り返しタブは、形状、模様および色の少なくとも１つが互いに異なる。これにより、折り返しタブで冊子体のページを分類したり、ページ範囲を示したりすることができ、目的のページを見つけやすくなる。
【０００８】
また、本発明に係る冊子体は、上記の冊子体に加え、次のようにしてもよい。この場合、上述の複数の折り返しタブのうちの２つは、対となる形状または対となる模様を有し、その２つのうちの一方は、ページ範囲の始点を示すものであり、その２つのうちの他方は、ページ範囲の終点を示すものである。これにより、対となる２つの形状の折り返しタブの一方でページ範囲の始点を示し他方でページ範囲の終点を示すことでページ範囲を示すことができ、目的のページを見つけやすくなる。
【０００９】
また、本発明に係る冊子体は、上記の冊子体に加え、次のようにしてもよい。この場合、上述の複数の折り返しタブは、それぞれ、線対称ではない形状を有する。そして、複数の折り返しタブのうちの１つの形状は、その複数の折り返しタブのうちの他の１つの形状に対して線対称の形状である。これにより、対となる２つの形状の折り返しタブの一方でページ範囲の始点を示し他方でページ範囲の終点を示すことでページ範囲を示すことができ、目的のページを見つけやすくなる。
【００１０】
また、本発明に係る冊子体は、上記の冊子体に加え、次のようにしてもよい。この場合、折り返しタブは、その折り返しタブの外縁に孔を有し、その孔は、幅を有する線状とされ、その線状の孔の両端は、その幅より大きい直径の円状とされる。これにより、折り返しタブの外縁を形成する孔の端部から、シートが切れにくくなる。
【００１１】
また、本発明に係る冊子体は、上記の冊子体に加え、次のようにしてもよい。この場合、上述の複数のシートは、一辺において互いに剥離可能に粘着した複数の付箋紙である。
【発明の効果】
【００１２】
本発明によれば、目的のページを見つけやすくする折り返しタブを有する冊子体を得ることができる。
【図面の簡単な説明】
【００１３】
【図１】図１は、本発明の実施の形態１に係る冊子体を示す斜視図である。
【図２】図２は、図１における折り返しタブの構成を示す平面図である。
【図３】図３は、図１における冊子体における折り返しタブの使用例を示す斜視図である。
【図４】図４は、本発明の実施の形態２に係る冊子体を示す斜視図である。
【図５】図５は、図４における冊子体における折り返しタブの使用例を示す斜視図である。
【発明を実施するための形態】
【００１４】
以下、図に基づいて本発明の実施の形態を説明する。
【００１５】
実施の形態１．
【００１６】
図１は、本発明の実施の形態１に係る冊子体を示す斜視図である。図１に示す冊子体１は、一辺において複数のシートを結合した冊子体である。各シートは、通常、紙であるが、その他の材質でもよい。
【００１７】
この冊子体１は、書籍、雑誌、ノート、メモ帳、カレンダー、予定帳などである。また、この冊子体１における複数のシートの結合方法としては、複数のシートの一辺を互いに糊付けしてもよいし、糸綴じしてもよいし、リング綴じしてもよいし、複数のシートを取り外し可能に結合するルーズリーフ形式のリング綴じとしてもよい。
【００１８】
実施の形態１に係る冊子体の各シートは、複数の折り返しタブを備える。そして、その複数の折り返しタブは、形状、模様および色の少なくとも１つが互いに異なる。なお、模様には、文字も含む。
【００１９】
図１に示す冊子体１の複数のシートは、一辺１ａにおいて結合されており、各シートの別の一辺に沿って、複数の折り返しタブ１１〜１５が形成されている。折り返しタブ１１〜１５は、互いに異なる模様を有する。図示していないが、実施の形態１では、折り返しタブ１１〜１５は、それぞれ、表（おもて）面と裏面とに同一の模様を有する。実施の形態１では、各折り返しタブ１１〜１５は、シートの辺に垂直な中心線に対して線対称な形状を有する。
【００２０】
図２は、図１における折り返しタブ１１の構成を示す平面図である。なお、模様以外については、折り返しタブ１２〜１５も、折り返しタブ１１と同様の構成を有する。
【００２１】
図２に示すように、折り返しタブ１１は、その折り返しタブ１１の外縁に孔２１を有する。この孔２１は、幅を有する線状とされ、線状の孔２１の両端２２は、その幅より大きい直径の円状とされる。この孔２１は、例えば冊子体１の形成（製本）前にパンチ刃によって開けられる。両端２２は、シートの辺に平行に配列されており、これにより、両端２２を結ぶ直線Ｌにおいて折り返しタブ１１が折り返されて見出しタブなどとして機能する。
【００２２】
図３は、図１における冊子体１における折り返しタブ１１〜１５の使用例を示す斜視図である。図３に示すように、ユーザは、そのページを振り分けたい分類に対応する模様を有する折り返しタブ（折り返しタブ１１〜１５の少なくとも１つ）を直線Ｌで折り返す。これにより、ユーザ所望のページが、異なる模様を有する折り返しタブ１１〜１５で分類される。
【００２３】
以上のように、上記実施の形態１に係る冊子体１は、一辺において複数のシートを結合した冊子体であって複数の折り返しタブ１１〜１５を備える。そして、その複数の折り返しタブ１１〜１５は、形状、模様および色の少なくとも１つが互いに異なる。これにより、折り返しタブ１１〜１５で冊子体１のページを分類したり、ページ範囲を示したりすることができ、目的のページを見つけやすくなる。
【００２４】
実施の形態２．
【００２５】
本発明の実施の形態２に係る冊子体は、実施の形態１の折り返しタブとは異なる複数の形状の折り返しタブを有する。なお、実施の形態２に係る冊子体のその他の構成は、実施の形態１に係る冊子体と同様である。
【００２６】
実施の形態２では、各シートにおける複数の折り返しタブは、それぞれ、線対称ではない形状を有し、その複数の折り返しタブのうちの１つの形状は、その複数の折り返しタブのうちの他の１つの形状に対して線対称の形状である。
【００２７】
図４は、本発明の実施の形態２に係る冊子体を示す斜視図である。図４に示す冊子体１０１は、複数のシートが一辺１０１ａで結合されている。実施の形態２では、冊子体１０１の各シートに、複数の折り返しタブ１１１〜１１４が形成されており、折り返しタブ１１１，１１２と、折り返しタブ１１３，１１４とは、互いに線対称となる（つまり、互いに反転形状となる）、屈曲した矢印の形状を有している。
【００２８】
図５は、図４における冊子体１０１における折り返しタブ１１１〜１１４の使用例を示す斜視図である。折り返しタブ１１１，１１２の先端は、折り返しタブ１１３，１１４に向かっており、折り返しタブ１１３，１１４の先端は、折り返しタブ１１１，１１２に向かっている。このため、図５に示すように、折り返しタブ１１１，１１２を使用することで、あるページ範囲の始点を示し、折り返しタブ１１３，１１４を使用することで、そのページ範囲の終点を示すことができる。
【００２９】
以上のように、上記実施の形態２によれば、対となる２つの形状の折り返しタブの一方でページ範囲の始点を示し他方でページ範囲の終点を示すことでページ範囲を示すことができ、目的のページを見つけやすくなる。
【００３０】
実施の形態３．
【００３１】
実施の形態１，２では、冊子体における複数のシートの結合方法として、糊付け、糸綴じ、リング綴じなどが採用されているが、実施の形態３では、冊子体の複数のシートが、一辺において互いに剥離可能に粘着した複数の付箋紙とされ、シート同士が粘着されて結合される。
【００３２】
なお、上述の各実施の形態は、本発明の好適な例であるが、本発明は、これらに限定されるものではなく、本発明の要旨を逸脱しない範囲において、種々の変形、変更が可能である。
【００３３】
例えば、上記実施の形態１〜３では、折り返しタブは、その表面と裏面とで同一の模様および／または色を有するが、表面と裏面とで異なる模様および／または色を有するようにしてもよい。
【００３４】
また、上記実施の形態１〜３において、折り返しタブの形状は、上述のものに限定されるものではなく、所望の形状とすることができる。例えば、折り返しタブの形状を手のかたち（グー、チョキ、パー、指差しなど）、花の形状、動物の形状などとしてもよい。
【００３５】
また、上記実施の形態１〜３において、折り返しタブに罫線を設けておき、メモなどを記載できるようにしてもよい。
【００３６】
また、上記実施の形態２では、形状にてページ範囲の始点と終点を示しているが、折り返しタブにおける文字などの模様によってページ範囲の始点と終点を示すようにしてもよい。
【００３７】
また、上記実施の形態３において、１枚の付箋紙を冊子体から取り外し、その付箋紙における折り返しタブを１８０度折り返さずに直立させて使用することも可能である。
【産業上の利用可能性】
【００３８】
本発明は、例えば、折り返しタブを有する冊子体に適用可能である。
【符号の説明】
【００３９】
１，１０１  冊子体
１ａ，１０１ａ  一辺
１１〜１５，１１１〜１１４  折り返しタブ
２１  孔
２２  両端
【図１】
2014000705.tif 000003
【図２】
2014000705.tif 000004
【図３】
2014000705.tif 000005
【図４】
2014000705.tif 000006
【図５】
2014000705.tif 000007
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
一辺において複数のシートを結合した冊子体において、
前記複数のシートのそれぞれに複数の折り返しタブを備え、
前記複数の折り返しタブは、形状、模様および色の少なくとも１つが互いに異なり、
前記複数の折り返しタブのうちの２つは、対となる形状または対となる模様を有し、
前記２つのうちの一方は、ページ範囲の始点を示すものであり、
前記２つのうちの他方は、ページ範囲の終点を示すものであること、
を特徴とする冊子体。
【請求項２】
一辺において複数のシートを結合した冊子体において、
前記複数のシートのそれぞれに複数の折り返しタブを備え、
前記複数の折り返しタブは、形状、模様および色の少なくとも１つが互いに異なり、
前記複数の折り返しタブは、それぞれ、線対称ではない形状を有し、
前記複数の折り返しタブのうちの１つの形状は、前記複数の折り返しタブのうちの他の１つの形状に対して線対称の形状であること、
を特徴とする冊子体。
【請求項３】
前記複数のシートは、前記一辺において互いに剥離可能に粘着した複数の付箋紙であることを特徴とする請求項１または請求項２記載の冊子体。
【請求項４】
一辺において複数のシートを結合した冊子体において、
前記複数のシートのそれぞれに複数の折り返しタブを備え、
前記複数の折り返しタブは、形状、模様および色の少なくとも１つが互いに異なり、
前記複数のシートは、前記一辺において互いに剥離可能に粘着した複数の付箋紙であること、
を特徴とする冊子体。
【請求項５】
前記折り返しタブは、その折り返しタブの外縁に孔を有し、
前記孔は、幅を有する線状とされ、前記線状の孔の両端は、前記幅より大きい直径の円状とされること、
を特徴とする請求項１から請求項４のうちのいずれか１項記載の冊子体。